【手続補正書】
【提出日】平成28年4月14日(2016.4.14)
【手続補正１】
【補正対象書類名】明細書
【補正対象項目名】００１２
【補正方法】変更
【補正の内容】
【００１２】
【図１】マトリックスと、マトリックスに埋め込まれた複数の繊維とを含む一実施形態による複合品の斜視図である。
【図２】図１の複合品の分解斜視図であり、繊維からなる複数の層を示している。
【図３】図１の複合品の一部の拡大斜視図であり、マトリックス内部の繊維層の構成を示し、さらには繊維の各々の長さに沿った繊維形状の変化を示している。
【図４】図３に示す層の一つの上面図であり、繊維長に沿った繊維形状の変化を示している。
【図５Ａ】図４の繊維の一つの上面図であり、一連の第１の部分と第２の部分とを含む繊維形状の変化を示している。
【図５Ｂ】図５Ａから取った繊維の側面図であり、繊維の概ね平坦な断面形状を示している。
【図５Ｃ】図５Ａから取った繊維の断面図であり、第１の部分の一つの第１の断面形状を示している。
【図５Ｄ】図５Ａから取った繊維の断面図であり、第２の部分の一つの第２の断面形状を示している。
【図６Ａ】別の実施形態による、繊維中に開口を有する繊維の上面図である。
【図６Ｂ】図６Ａから取った繊維の側面図であり、繊維の概ね平坦な断面形状を示している。
【図６Ｃ】図６Ａから取った繊維の断面図であり、断面積を有する繊維の第１の断面形状を示している。
【図６Ｄ】図６Ａから取った繊維の断面図であり、図６Ｃの断面積とほぼ同じ総断面積を有する繊維の第２の断面形状を示している。
【図７Ａ】別の実施形態による、一連の第１の部分と第２の部分とを含む繊維の上面図である。
【図７Ｂ】図７Ａから取った繊維の断面図であり、第１の部分の一つの第１の断面形状を示している。
【図７Ｃ】図７Ａから取った繊維の断面図であり、第２の部分の一つの第２の断面形状を示している。
【図８Ａ】別の実施形態による、蛇行形状を有する繊維の上面図である。
【図８Ｂ】図８Ａから取った繊維の側面図であり、繊維の概ね平坦な断面形状を示している。
【図８Ｃ】図８Ｂから取った繊維の断面図であり、繊維の断面重心が繊維の長手軸の一方の側からずれている断面形状を示している。
【図８Ｄ】図８Ｂから取った繊維の断面図であり、断面重心が図８Ｃに示す断面重心とは反対の長手軸の側からずれている断面形状を示している。
【図９Ａ】繊維長に沿って延びる一連の突出部を有する、別の実施形態による繊維の上面図である。
【図９Ｂ】図９Ａから取った繊維の側面図であり、繊維の上面及び下面から延びる突出部を示している。
【図９Ｃ】図９Ｂから取った繊維の断面図であり、突出部の一つの位置における第１の断面形状を示している。
【図９Ｄ】図９Ｂから取った繊維の断面図であり、突出部間の領域における繊維の第２の断面形状を示している。
【図１０Ａ】繊維長に沿って延びる一連の大きな突出部と小さな突出部を有する、別の実施形態による繊維の上面図である。
【図１０Ｂ】図１０Ａから取った繊維の側面図であり、繊維の上面と下面からそれぞれ延びる大きな突出部と小さな突出部を示している。
【図１０Ｃ】図１０Ｂから取った繊維の断面図であり、大きな突出部の一つの位置における断面形状を示している。
【図１０Ｄ】図１０Ｂから取った繊維の断面図であり、小さな突出部の一つの位置における断面形状を示している。
【図１１Ａ】別の実施形態による、らせん形状に形成された繊維の上面図である。
【図１１Ｂ】図１１Ａから取った繊維の側面図であり、らせん形状を示している。
【図１１Ｃ】さらに別の実施形態による、ツイストを繰り返す形状に形成された繊維の上面図である。
【図１１Ｄ】図１１Ｃから取った繊維の側面図であり、ツイストを繰り返す形状を示している。
【図１２Ａ】別の実施形態による、断面形状を直交させた一連の第１の部分と第２の部分とを含む繊維の上面図である。
【図１２Ｂ】図１２Ａから取った繊維の側面図であり、第１の部分と第２の部分とを示している。
【図１２Ｃ】図１２Ｂから取った繊維の断面図であり、第１の部分の一つの位置における第１の断面形状を示している。
【図１２Ｄ】図１２Ｂから取った繊維の断面図であり、第２の部分の一つの位置における第２の断面形状を示している。
【図１３Ａ】別の実施形態による、第１の材料から形成される繊維コアと、第２の材料から形成される一連の立方体状の第２の部分とを有する繊維の上面図である。
【図１３Ｂ】図１３Ａから取った繊維の側面図であり、一連の立方体状の第２の部分を通る繊維コアを示している。
【図１３Ｃ】図１３Ｂから取った繊維の断面図であり、第１の材料から形成される繊維コアを示している。
【図１３Ｄ】図１３Ｂから取った繊維の断面図であり、第２の材料から形成される立方体状の第２の部分の一つを示している。
【図１４Ａ】別の実施形態による、第１の材料から形成される繊維コアと、第２の材料から形成される一連の球状の第２の部分とを有する繊維の上面図である。
【図１４Ｂ】図１４Ａから取った繊維の断面図であり、第１の材料から形成される繊維コアを示している。
【図１４Ｃ】図１４Ａから取った繊維の断面図であり、第２の材料から形成される球状の第２の部分の一つを示している。
【図１５】半周期的に変換する繊維形状を有する繊維の側面図である。
【図１６】隣接する層の繊維に対して直角に配置された繊維を有する層からなる複合品の一部の斜視図である。
【図１６Ａ】図１６の複合品の端面図であり、交互層に含まれる繊維の第２の部分が、隣接する層の第１の部分と概ね整列している様子を示している。
【図１６Ｂ】図１６の複合品の端面図であり、繊維に垂直力が加わることにより、層内で一方向に向く繊維が隣接する層内で異なる方向（例えば直交方向）に向く繊維と係合する様子を示している。
【図１７】試験品の側面図であり、試験品の正面に激突する弾丸を示している。
【図１８】図１７の試験品の背面図であり、繊維−マトリックス間の連結、及び／又は繊維−繊維間の連結が比較的小さい場合に、試験品の正面に対する弾丸の衝撃に応答して、繊維が比較的大きな面積にわたって局所的及び全体的に影響を受ける様子を示している。
【図１９】試験品の背面図であり、図１８に示す実施形態に対し、繊維−マトリックス間の連結、及び／又は繊維−繊維間の連結の量を増大させることにより、繊維の局所的及び全体的に影響の面積が縮小する様子を示している。
【図２０】第１の層、第２の層、及び複合品を含む層系の斜視図である。
【図２１】図２０の層系の分解斜視図である。
【図２２】複合品の製造方法に含まれうる一又は複数の工程を示すフロー図である。
【図２３】一又は複数の実施形態による複合品を包含しうる航空機の斜視図である。
【図２４】複合品の使用法の一実施形態を示すフロー図である。
【手続補正２】
【補正対象書類名】明細書
【補正対象項目名】００３９
【補正方法】変更
【補正の内容】
【００３９】
図１０Ａは、繊維長３４に沿って形成された一連の大きな突出部８２と小さな突出部８３とを有する、一実施形態による繊維２２の上面図である。図１０Ｂは、上面２６上に形成された大きな突出部８２と、下面２８上に形成された小さな突出部８３とを示す繊維２２の側面図である。図１０Ｃは、大きな突出部８２の一つを通る繊維２２の断面図であり、斜線部は、アーチ状に形成された第１の断面積３８ａを表している。図１０Ｄは、小さな突出部８３の一つを通る繊維２２の断面図であり、斜線部は、アーチ状に形成された第２の断面積３８ｂを表している。繊維２２の上面２６及び下面２８に異なる大きさの突出部を設けることにより、マトリックス１８及び／又は他の繊維２２との間に異なるレベルの機械的連結が提供される。